(57)【要約】【課題】回転式電子部品と押圧式電子部品の連続した操作を容易且つスムーズで瞬時に行うことができる押圧スイッチ付回転式電子部品を提供する。【解決手段】回転つまみ１８０を回転することで電気的出力を変化させる回転式電子部品と、回転つまみ１８０の外周に設けた回転つまみ操作部１９１に押圧スイッチ用の押圧つまみ１６１を設置するとともに、押圧つまみ１６１によって押圧される位置に反転板６０や押圧部材６５等によって構成される押圧スイッチを設置してなる押圧式電子部品とを具備してなる押圧スイッチ付回転式電子部品１である。【選択図】図１
2011134682.tif 000002
【特許請求の範囲】
【請求項１】
回転つまみを回転することで電気的出力を変化させる回転式電子部品と、
前記回転つまみの外周に設けた回転つまみ操作部に押圧スイッチ用の押圧つまみを設置するとともに、この押圧つまみによって押圧される押圧スイッチを設置してなる押圧式電子部品と、を具備することを特徴とする押圧スイッチ付回転式電子部品。
【請求項２】
請求項１に記載の押圧スイッチ付回転式電子部品において、
前記押圧つまみに設けた押圧部の移動軌跡上にこの押圧部によって押圧される押圧スイッチを設置し、前記押圧部が押圧スイッチに対向した際に押圧つまみを押圧することで押圧スイッチを動作させることを特徴とする押圧スイッチ付回転式電子部品。
【請求項３】
請求項１に記載の押圧スイッチ付回転式電子部品において、
前記押圧スイッチは、前記押圧つまみと一体に回転するスイッチ接点板と、このスイッチ接点板に設けた接点部が当接するスイッチパターンを形成した基板とを具備して構成され、
前記スイッチ接点板にアーム部を設け、このアーム部に設けた前記接点部を前記基板に弾接し、前記押圧つまみを押圧して前記スイッチ接点板の接点部を基板上で移動させることで前記スイッチパターンへの当接状態を変化させて押圧スイッチをオンオフすることを特徴とする押圧スイッチ付回転式電子部品。
【請求項４】
請求項３に記載の押圧スイッチ付回転式電子部品において、
前記基板上に、前記押圧つまみを押圧した際に前記接点部が乗り上げることでクリック感覚を生じるクリック用突起部を設けたことを特徴とする押圧スイッチ付回転式電子部品。
【請求項５】
請求項１または２または３または４に記載の押圧スイッチ付回転式電子部品において、
前記押圧つまみから可撓性を有するヒンジ部を引き出すとともに、前記ヒンジ部の端部に取付部を設け、この取付部を前記回転つまみの裏面に取り付けたことを特徴とする押圧スイッチ付回転式電子部品。
【発明の詳細な説明】
【技術分野】
【０００１】
本発明は、回転式電子部品の機能と押圧式電子部品の機能とを兼ね備えた押圧スイッチ付回転式電子部品に関するものである。
【背景技術】
【０００２】
従来、回転式電子部品の機能の他に押圧式電子部品の機能を一体に有する押圧スイッチ付回転式電子部品として、例えば特許文献１の図１〜図６に示す構造のものがある。この押圧スイッチ付回転式電子部品は、例えばその図４に示すように、回転つまみ（７０）の中央にキートップ（６０）を配置し、回転式電子部品として操作する場合は回転つまみ（７０）の外周から突出する操作部（７３）を左右に移動させることで回転つまみ（７０）を回動（揺動）して操作し、一方押圧式電子部品として操作する場合は、キートップ（６０）の上面を押圧してこれを下降させることで操作する。
【０００３】
そして例えばこの押圧スイッチ付回転式電子部品をカメラの操作釦として使用する場合は、回転つまみ（７０）を操作することによって被写体のズームを行い、キートップ（６０）を操作することによってピントを合わせてシャッターを切る。つまりこの種の押圧スイッチ付回転式電子部品では、回転つまみ（７０）の操作とキートップ（６０）の操作とを連続して行うことが多い。つまり回転つまみ（７０）の操作部（７３）に指をかけて回転つまみ（７０）を操作し、直後にその指をキートップ（６０）の上面中央に戻してこれを押圧するように連続して操作を行うことが多い。
【先行技術文献】
【特許文献】
【０００４】
【特許文献１】特開２００５−１８３１３５号公報
【発明の概要】
【発明が解決しようとする課題】
【０００５】
しかしながら回転つまみ（７０）の操作部（７３）と、キートップ（６０）の上面中央との間には離間距離があるため、両者を指で連続して操作する場合、指を前記離間距離分だけ移動しなければならず（指の置き換えが生じ）、煩雑であり、スムーズな操作が行えなかった。特に両者の操作を連続に瞬時に行いたいような場合、その要求に答えられなかった。
【０００６】
本発明は上述の点に鑑みてなされたものでありその目的は、回転式電子部品と押圧式電子部品の連続した操作を容易且つスムーズで瞬時に行うことができる押圧スイッチ付回転式電子部品を提供することにある。
【課題を解決するための手段】
【０００７】
本願請求項１に記載の発明は、回転つまみを回転することで電気的出力を変化させる回転式電子部品と、前記回転つまみの外周に設けた回転つまみ操作部に押圧スイッチ用の押圧つまみを設置するとともに、この押圧つまみによって押圧される押圧スイッチを設置してなる押圧式電子部品と、を具備することを特徴とする押圧スイッチ付回転式電子部品にある。
【０００８】
本願請求項２に記載の発明は、請求項１に記載の押圧スイッチ付回転式電子部品において、前記押圧つまみに設けた押圧部の移動軌跡上にこの押圧部によって押圧される押圧スイッチを設置し、前記押圧部が押圧スイッチに対向した際に押圧つまみを押圧することで押圧スイッチを動作させることを特徴とする押圧スイッチ付回転式電子部品にある。
【０００９】
本願請求項３に記載の発明は、請求項１に記載の押圧スイッチ付回転式電子部品において、前記押圧スイッチは、前記押圧つまみと一体に回転するスイッチ接点板と、このスイッチ接点板に設けた接点部が当接するスイッチパターンを形成した基板とを具備して構成され、前記スイッチ接点板にアーム部を設け、このアーム部に設けた前記接点部を前記基板に弾接し、前記押圧つまみを押圧して前記スイッチ接点板の接点部を基板上で移動させることで前記スイッチパターンへの当接状態を変化させて押圧スイッチをオンオフすることを特徴とする押圧スイッチ付回転式電子部品にある。
【００１０】
本願請求項４に記載の発明は、請求項３に記載の押圧スイッチ付回転式電子部品において、前記基板上に、前記押圧つまみを押圧した際に前記接点部が乗り上げることでクリック感覚を生じるクリック用突起部を設けたことを特徴とする押圧スイッチ付回転式電子部品にある。
【００１１】
本願請求項５に記載の発明は、請求項１または２または３または４に記載の押圧スイッチ付回転式電子部品において、前記押圧つまみから可撓性を有するヒンジ部を引き出すとともに、前記ヒンジ部の端部に取付部を設け、この取付部を前記回転つまみの裏面に取り付けたことを特徴とする押圧スイッチ付回転式電子部品にある。
【発明の効果】
【００１２】
請求項１に記載の発明によれば、回転つまみの回転つまみ操作部に押圧つまみを設置し、この押圧つまみによって押圧式電子部品の押圧スイッチをオンオフ操作する構成としたので、回転つまみ操作部の部分に指を置いたまま回転つまみの操作と押圧つまみの操作とを行うことができる。従って両者を操作する際に指の置き換えが生じず、両者の操作を容易に連続してスムーズに行うことができる。特に両者の操作を連続に瞬時に行いたいような場合でも十分その要求に答えられる。
【００１３】
請求項２に記載の発明によれば、回転つまみを所定の回転位置（例えば自動復帰位置）に位置させたときに、押圧式電子部品の押圧スイッチのオンオフ動作を行わせることができる。
【００１４】
請求項３に記載の発明によれば、回転つまみが何れの回転位置にある場合でも、押圧式電子部品の押圧スイッチのオンオフ動作を行わせることができる。
【００１５】
請求項４に記載の発明によれば、部品点数を増加させることなく、簡単な構造で容易に押圧式電子部品にクリック機能を持たせることができる。
【００１６】
請求項５に記載の発明によれば、回転つまみと押圧つまみとを容易に一体に回動することができるとともに、押圧つまみの押圧動作をスムーズに行わせることができる。
【図面の簡単な説明】
【００１７】
【図１】外装ケース２１０，２３０を装着した状態の押圧スイッチ付回転式電子部品１の断面図（図２のＡ−Ａ断面図）である。
【図２】外装ケース２１０，２３０を装着した状態の押圧スイッチ付回転式電子部品１の斜視図である。
【図３】外装ケース２１０，２３０及びプリント配線基板２００を装着した状態の押圧スイッチ付回転式電子部品１を下側から見た斜視図である。
【図４】押圧スイッチ付回転式電子部品１（その上側の部品）の分解斜視図である。
【図５】押圧スイッチ付回転式電子部品１（その下側の部品）の分解斜視図である。
【図６】押圧スイッチ付回転式電子部品１（その上側の部品）を下側から見た分解斜視図である。
【図７】押圧スイッチ付回転式電子部品１（その下側の部品）を下側から見た分解斜視図である。
【図８】押圧スイッチ付回転式電子部品１にプリント配線基板２００と外装ケース２１０，２３０とを装着する方法を示す図である。
【図９】外装ケース２１０，２３０を装着した状態の押圧スイッチ付回転式電子部品１−２の断面図である。
【図１０】押圧スイッチ付回転式電子部品１−２（その上側の部品）の分解斜視図である。
【図１１】押圧スイッチ付回転式電子部品１−２（その下側の部品）の分解斜視図である。
【図１２】ケース１０を別の角度から見た斜視図である。
【図１３】スイッチ接点板３００近傍部分の要部拡大概略断面図である。
【図１４】スイッチ接点板３００の動作説明図である。
【発明を実施するための形態】
【００１８】
以下、本発明の実施形態を図面を参照して詳細に説明する。図１は本発明の第１実施形態に係る押圧スイッチ付回転式電子部品１の断面図（図２のＡ−Ａ断面図であり、外装ケース２１０，２３０を装着した状態を示している。図２、図３においても同様。）、図２は押圧スイッチ付回転式電子部品１の斜視図、図３は押圧スイッチ付回転式電子部品１を下側から見た斜視図、図４は押圧スイッチ付回転式電子部品１（その上側の部品）の分解斜視図、図５は押圧スイッチ付回転式電子部品１（その下側の部品）の分解斜視図、図６は押圧スイッチ付回転式電子部品１（その上側の部品）を下側から見た分解斜視図、図７は押圧スイッチ付回転式電子部品１（その下側の部品）を下側から見た分解斜視図である。なお以下の説明において、「上」とは基板４０から押圧つまみ１６１を向く方向をいい、「下」とはその反対方向をいうものとする。
【００１９】
これらの図に示すように押圧スイッチ付回転式電子部品１は、基板４０を内蔵したケース１０の押圧式電子部品収納部１１内に反転板（可動接点板）６０と押圧部材６５とを収納し、一方回転式電子部品収納部１３内に摺動子１００を取り付けた回転体８０と弾発バネ１２０とを収納し、さらにその上をカバー１３０で覆うとともに、その上部に押圧つまみ体１６０を取り付けた回転つまみ１８０を設置することで構成されている。以下各構成部品について説明する。
【００２０】
ケース１０は、合成樹脂を略矩形平板状に成形して構成されており、その上面の２か所には円形の凹部からなる押圧式電子部品収納部１１と、回転式電子部品用収納部１３とが形成されている。ケース１０の内部には基板４０と複数本（６本）の金属端子５５とが内蔵（インサート成形）されている。基板４０は可撓性を有する合成樹脂フイルム（例えばポリエチレンテレフタレートフイルムなど）の表面に、押圧式電子部品用のスイッチパターン４１と、回転式電子部品用の可変抵抗用パターン４３とを形成して構成されている。スイッチパターン４１は押圧式電子部品収納部１１の底面に露出し、可変抵抗用パターン４３は回転式電子部品用収納部１３の底面に露出している。スイッチパターン４１は、中央の第１接点パターン４１ａと、その周囲を囲む第２接点パターン４１ｂとによって構成されている。可変抵抗用パターン４３は、同一円周上に位置する一対の円弧状の抵抗体パターン４３ａと導電体パターン４３ｂとによって構成されている。
【００２１】
各金属端子５５はそれぞれ、スイッチパターン４１，可変抵抗用パターン４３から引き出した図示しない端子接続パターンにその一端側が接続された状態でケース１０内に埋め込まれており、その先端側はケース１０の外周側面から外部に突出している。各金属端子５５のケース１０から突出している部分は、この押圧スイッチ付回転式電子部品１が面実装できるように、ケース１０の底面とほぼ同一面に位置するように屈曲されている。
【００２２】
押圧式電子部品収納部１１は反転板６０と押圧部材６５とをほぼぴったり収納できる寸法形状に形成されている。回転式電子部品用収納部１３は摺動子１００を取り付けた回転体８０の本体部８１を回動自在にほぼぴったり収納できる寸法形状に形成されており、可変抵抗用パターン４３の中央には基板４０とケース１０を貫く円形の貫通孔からなる軸支部４４が形成されている。回転式電子部品用収納部１３の略１８０°対向するその外周側壁には、ケース１０の上面を凹状に切り欠いてなる一対の凹部１５が形成され、各凹部１５の一方の側面がそれぞれ弾接片係止部１７となっている。ケース１０の上面の所定の２か所には、小突起状の係止部１９が形成され、ケース１０の下面の所定の２か所にも小突起状の係止部２１が形成され、またケース１０の下面の外周の所定の４か所には凹状の係合部２３が形成され、さらにケース１０の回転式電子部品用収納部１３近傍の左右両外側面の所定の４か所には小突起状の係止部２５が形成されている。
【００２３】
反転板６０は弾性金属板を上方向に凸となる略ドーム形状に形成して構成されている。押圧部材６５は合成樹脂を略円板状に成形して構成されている。押圧部材６５の下面中央には下方向に向かって突出する小突起状の押圧部６７が設けられている。押圧部材６５の上面中央は、この押圧部材６５を押圧する被押圧部６９となっている。反転板６０と押圧部材６５は略同一の径を有し、前記押圧式電子部品収納部１１に収納される。
【００２４】
回転体８０は合成樹脂の成型品であり、略円板状の本体部８１の上面中央から略円柱状（円筒状）のつまみ取付兼軸支部８３を突出するとともに、その下面中央から小突起状の軸支部８５を突出して構成されている。本体部８１の上面の外周には、略リング状の突出部８７が設けられ、その内側の凹部を弾発部材収納部８９とし、また突出部８７の２か所を切り欠くことで弾接片引出部９１とし、突出部８７の切り欠いた一方の円弧の両端部を弾接片弾接部９３（図５ではその一方のみ示す）としている。また本体部８１の外周から半径方向外方に向かって突出するとともに上方向に向かって屈曲するストッパー部９５が設けられている。また本体部８１の下面の軸支部８５の両側には、小突起からなる摺動子取付部９７が設けられている。
【００２５】
摺動子１００は弾性金属板を略楕円のリング状に形成して構成されており、その１８０°対向する位置に、接点部１０１を形成し、両接点部１０１間をつなぐ中間位置にそれぞれ取付部１０３を設け、両取付部１０３中に前記回転体８０の摺動子取付部９７を挿入する小孔からなる取付部１０５を設けて構成されている。
【００２６】
弾発バネ１２０はねじりコイルバネであり、コイル状に巻き回したコイル本体部１２１から半径方向外方に向けて略直線状に弾接片１２３を突出して構成されている。
【００２７】
カバー１３０は金属板を前記ケース１０をほぼ覆う寸法の略矩形状に形成して構成されている。前記ケース１０の回転式電子部品用収納部１３の中央に対向する位置には、前記回転体８０のつまみ取付兼軸支部８３を軸支する円形の軸支孔１３１が設けられ、一方前記押圧式電子部品収納部１１の中央に対向する位置には、円形の押圧部挿入孔１３３が設けられている。この押圧部挿入孔１３３は下記する押圧つまみ１６１に設けた押圧部１７１の移動軌跡上（移動軌跡の中央位置）に設置されている。カバー１３０の前記軸支孔１３１を設けている回転式電子部品形成面１３５と、前記押圧部挿入孔１３３を設けている押圧式電子部品形成面１３７との間には屈曲する段差部１３９があり、これによって両面間に高さ方向の段差を設けている。段差部１３９の部分の中央には貫通孔１４１が設けられており、この貫通孔１４１の上部に位置するようにＵ字状に屈曲するクリック弾発部１４３が配置されている。クリック弾発部１４３の両端は貫通孔１４１の内周辺（回転式電子部品形成面１３５側）に連結され、その中間部分には上方向に突出するように屈曲する弾発部１４５が形成されている。回転式電子部品形成面１３５の軸支孔１３１を囲む部分には円弧状の貫通孔からなるストッパー部挿入部１４７が設けられ、また前記ケース１０の一対の係止部１９に対向する位置にはこれらを挿入する位置決め孔１４９が設けられ、また回転式電子部品形成面１３５の左右両外周辺の２か所ずつ（前記ケース１０の各係止部２５に対向する位置）からは略Ｌ字状に外方に突出して下方向に折り曲げられる係止片１５１が設けられている。また押圧式電子部品形成面１３７の外周辺からは舌片状であって下方向に折り曲げられる４つの取付係止片１５３が設けられている。押圧式電子部品形成面１３７の上面は、押圧つまみ押圧規制面１３７ａとなっている。
【００２８】
押圧つまみ体１６０は合成樹脂製であり、押圧つまみ１６１と、押圧つまみ１６１から引き出される可撓性を有するヒンジ部１６３と、ヒンジ部１６３の端部に連結される取付部１６５とを一体に成形して構成されている。押圧つまみ１６１は、長円柱状のつまみ１６７の下部につば部１６９を設け、その下面に下方向に突出する押圧部１７１を設けて構成されている。押圧つまみ１６１とヒンジ部１６３の間には、幅方向（回転つまみ１８０の回転方向）に長尺なクリック形成部１７３が設けられ、クリック形成部１７３の下面には前記カバー１３０の弾発部１４５を弾接する凹凸状のクリック部１７７が形成されている。ヒンジ部１６３は一対の長尺な平板で構成されている。取付部１６５は略細長矩形状であり、その２か所に上下に貫通する取付孔１７９が設けられている。
【００２９】
回転つまみ１８０は合成樹脂製であり、略円形で下面に凹部１８１を有し、またその外周下部から半径方向外方に向けてつば部１８３を突出して構成されている。回転つまみ１８０の外周側面のつば部１８３の上部には略リング状の凹部からなる外装ケース挿入部１８４が形成されている。回転つまみ１８０の凹部１８１の底面の中央からは下方向に向けて円柱状の軸取付部１８５が突出している。軸取付部１８５の先端面には円形凹状の回転体取付部１８６が形成されている。凹部１８１の底面の軸取付部１８５の近傍には、横断面略コ字状のストッパー係止部１８７が設けられ、ストッパー係止部１８７の両側には小突起からなるつまみ体取付部１８９が設けられている。回転つまみ１８０の外周には半径方向外方に向けて突出する回転つまみ操作部１９１が設けられている。回転つまみ操作部１９１は略台形状に突出しており、その内部には上下に貫通する押圧つまみ挿通部１９３が形成されている。押圧つまみ挿通部１９３はその孔の形状が略長円形状であり、前記押圧つまみ１６１のつまみ１６７を上下動自在にほぼぴったり挿入できる寸法に形成されている。
【００３０】
次に押圧スイッチ付回転式電子部品１の組み立て方法を説明する。まず予め、回転体８０の下面に摺動子１００を配置し、回転体８０の両摺動子取付部９７を摺動子１００の両取付部１０５に挿入し、両摺動子取付部９７の先端を熱かしめする。これによって回転体８０の下面に摺動子１００が取り付けられる。一方回転つまみ１８０の凹部１８１内にその下側から押圧つまみ体１６０を挿入し、その際、押圧つまみ１６１のつまみ１６７を回転つまみ１８０の押圧つまみ挿通部１９３に挿入し、同時に回転つまみ１８０のつまみ体取付部１８９を取付部１６５の取付孔１７９に挿入してつまみ体取付部１８９の先端を熱かしめする（なお両者は圧入だけで熱かしめしなくても良い）。これによって回転つまみ１８０の下面に押圧つまみ体１６０が取り付けられ、つまみ１６７の上面が押圧つまみ挿通部１９３内に露出する。
【００３１】
そしてまず、ケース１０の押圧式電子部品収納部１１内に反転板６０と押圧部材６５とを収納し、一方ケース１０の回転式電子部品収納部１３内に摺動子１００を取り付けた回転体８０の本体部８１を収納し、さらに本体部８１の弾発部材収納部８９内に弾発バネ１２０を収納してその両弾接片１２３を回転体８０の両弾接片弾接部９３とケース１０の両弾接片係止部１７とに同時に弾接させる。
【００３２】
次に前記ケース１０の上にカバー１３０を被せ、その際回転体８０のつまみ取付兼軸支部８３をカバー１３０の軸支孔１３１から突出し、同時に回転体８０のストッパー部９５をカバー１３０のストッパー部挿入部１４７から突出し、またケース１０の係止部１９をカバー１３０の位置決め孔１４９に挿入する。そしてカバー１３０の各係止片１５１をケース１０の各係止部２５の下側に係止し、同時にカバー１３０の各取付係止片１５３の先端をケース１０の下面側に折り曲げて係合部２３に収納すれば、ケース１０とカバー１３０間が固定される。そしてカバー１３０の上に前記押圧つまみ体１６０を取り付けた回転つまみ１８０を載せ、その際、回転つまみ１８０の回転体取付部１８６に回転体８０のつまみ取付兼軸支部８３を圧入して両者を一体に取り付け、同時に回転体８０のストッパー部９５を回転つまみ１８０のストッパー係止部１８７の凹状部分に係合する。これによって押圧スイッチ付回転式電子部品１が完成する。なお上記組立手順はその一例であり、他の各種異なる組立手順を用いて組み立てても良いことはいうまでもない。
【００３３】
このとき弾発バネ１２０の一対の弾接片１２３はそれぞれケース１０の一対の弾接片係止部１７と回転体８０の一対の弾接片弾接部９３に同時に弾接し、これによって回転体８０は中立位置（回転体８０が回転する全範囲の中央位置）に自動的に位置する。そしてこのとき図１に示すように、カバー１３０の弾発部１４５は押圧つまみ体１６０のクリック部１７７に弾接し、押圧つまみ体１６０の押圧部１７１はカバー１３０の押圧部挿入孔１３３に露出している押圧部材６５の上面中央に接近して対向している。
【００３４】
この押圧スイッチ付回転式電子部品１は、図１に一点鎖線で示し、図３にその下面を示すように、プリント配線基板２００上に取り付けられ、また図２，図３，図８に示すように、一対の外装ケース２１０，２３０に挟まれることで外装ケース２１０，２３０に装着される。プリント配線基板２００は硬質で、所定位置に前記ケース１０の下面に設けた係止部２１を挿入して位置決めする貫通孔からなる一対の位置決め部２０１が設けられている。また図示はしないが、プリント配線基板２００のケース１０の各金属端子５５に対向する位置には、それぞれ各金属端子５５を半田付けなどする端子接続パターンが形成されており、プリント配線基板２００上に載置された押圧スイッチ付回転式電子部品１の各金属端子５５が半田付けされる。
【００３５】
一方外装ケース２１０，２３０は、図８に示すように、それらの直線状の接合辺２１１，２３１の途中に半円形で凹状のつまみ挿入部２１３，２３３を設けて構成されている。両つまみ挿入部２１３，２３３は両外装ケース２１０，２３０の接合辺２１１，２３１を接合した際に、両つまみ挿入部２１３，２３３が１つの円を形成し、その円の中に押圧スイッチ付回転式電子部品１の回転つまみ１８０が配置され、その際この円の内周辺が回転つまみ１８０の外装ケース挿入部１８４内に挿入される。なお両外装ケース２１０，２３０間、及びこれら両外装ケース２１０，２３０とプリント配線基板２００間は図示しない部分において固定される。
【００３６】
以上のように構成された押圧スイッチ付回転式電子部品１において、押圧つまみ体１６０のつまみ１６７を押圧すると、ヒンジ部１６３が撓むことで押圧つまみ１６１が下降し、その押圧部１７１が押圧部材６５を押圧して反転板６０が反転し、一対のスイッチパターン４１（４１ａ，４１ｂ）間が導通し、この押圧スイッチがオンする。前記つまみ１６７への押圧を解除すると、ヒンジ部１６３と反転板６０の弾性復帰力によって反転板６０は元の形状に自動復帰し、この押圧スイッチはオフする。
【００３７】
一方回転つまみ１８０の回転つまみ操作部１９１の部分を回転方向に押して回転つまみ１８０を回転すると、これと一体に押圧つまみ体１６０と回転体８０及び摺動子１００が回転し、接点部１０１が基板４０の可変抵抗用パターン４３（４３ａ，４３ｂ）上を摺動し、回転式電子部品の電気的出力が変化する。回転体１８０を回転した際、カバー１３０の弾発部１４５が押圧つまみ体１６０のクリック部１７７に弾接してクリック感触を生じる。なお押圧スイッチの出力と回転式電子部品の出力は、それぞれそれらに対応した金属端子５５に出力される。前記回転つまみ１８０の回転を中止すれば、前記弾発バネ１２０の弾発力によって回転つまみ１８０及びこれと一体に回転する摺動子１００等が元の中立位置に自動復帰し、電気的出力も元の中立位置の状態に戻る。
【００３８】
ところで回転つまみ１８０を中立位置から他の位置に回動した状態においては、押圧つまみ１６１の押圧部１７１の先端面はカバー１３０の押圧つまみ押圧規制面１３７ａに対向する。このためこの位置（中立位置以外の位置）においては押圧つまみ１６１を押圧しても押圧部１７１が押圧つまみ押圧規制面１３７ａを押圧するだけで下降しない。
【００３９】
以上説明したように押圧スイッチ付回転式電子部品１は、回転つまみ１８０を回転することで電気的出力を変化させる回転式電子部品と、回転つまみ１８０の外周に設けた回転つまみ操作部１９１に押圧スイッチ用の押圧つまみ１６１を設置するとともに、この押圧つまみ１６１によって押圧される反転板６０やスイッチパターン４１や押圧部材６５からなる押圧スイッチを設置してなる押圧式電子部品と、を具備して構成されている。つまり回転つまみ１８０の回転つまみ操作部１９１に押圧つまみ１６１を設置し、この押圧つまみ１６１によって押圧式電子部品の押圧スイッチをオンオフ操作する構成としたので、回転つまみ操作部１９１の部分に指を置いたまま回転つまみ１８０の操作と押圧つまみ１６１の操作とを行うことができる。従って両者を操作する際に指の置き換えが生じず、両者の操作を容易に連続してスムーズに行うことができ、特に両者の操作を連続に瞬時に行いたいような場合でも十分その要求に答えられる。
【００４０】
なおこの押圧スイッチ付回転式電子部品１においては、回転つまみ１８０と回転体８０と摺動子１００と基板４０と基板４０上の可変抵抗用パターン４３とによって回転式電子部品が構成され、押圧つまみ１６１と押圧部材６５と反転板６０と基板４０と基板４０上のスイッチパターン４１とによって押圧式電子部品が構成されている。また反転板６０と基板４０と基板４０上の一対のスイッチパターン４１によって押圧スイッチが構成されている。
【００４１】
また押圧つまみ１６１に設けた押圧部１７１の移動軌跡上に押圧式電子部品の押圧スイッチを設置し、押圧部１７１がこの押圧スイッチに対向した際に押圧つまみ１６１を押圧することで押圧スイッチを動作させる構成としたので、回転つまみ１８０を所定の回転位置（この実施形態では自動復帰位置）に位置させたときに、押圧式電子部品のオンオフ動作を確実に行わせることができる。
【００４２】
また押圧つまみ１６１から可撓性を有するヒンジ部１６３を引き出すとともに、ヒンジ部１６３の端部に取付部１６５を設け、この取付部１６５を回転つまみ１８０の裏面に取り付けたので、回転つまみ１８０と押圧つまみ１６１とを容易に一体に回動することができるとともに、押圧つまみ１６１の押圧動作をスムーズに行わせることができる。
【００４３】
図９は本発明の第２実施形態に係る押圧スイッチ付回転式電子部品１−２の断面図（図１と同一部分の断面図）、図１０は押圧スイッチ付回転式電子部品１−２（その上側の部品）の分解斜視図、図１１は押圧スイッチ付回転式電子部品１−２（その下側の部品）の分解斜視図である。これらの図に示す押圧スイッチ付回転式電子部品１−２において、前記図１〜図８に示す押圧スイッチ付回転式電子部品１と同一又は相当部分には同一符号を付す。なお以下で説明する事項以外の事項については、前記図１〜図８に示す実施形態と同じである。
【００４４】
この押圧スイッチ付回転式電子部品１−２において前記押圧スイッチ付回転式電子部品１と相違する点は押圧スイッチの部分であり、具体的には押圧スイッチ付回転式電子部品１で用いた反転板６０と押圧部材６５とを省略し、その代りにスイッチ接点板３００と接点板取付部材３３０とを設置し、またケース１０とカバー１３０と押圧つまみ体１６０の形状の一部を変更している。
【００４５】
図１２は押圧スイッチ付回転式電子部品１−２のケース１０を別の角度から見た斜視図である。押圧スイッチ付回転式電子部品１−２のケース１０において、前記押圧スイッチ付回転式電子部品１のケース１０と相違する点は、押圧式電子部品収納部１１の構造と、基板４０に形成するスイッチパターン４１の形状と、金属端子５５の数と、係止部１９の数と、係合部２３を省略した点と、係止部２５を６か所に設けた点とである。
【００４６】
即ちこのケース１０の押圧式電子部品収納部１１は略扇形の凹部となっており、下記する接点板取付部材３３０が円弧状にスライド移動できる寸法形状になっている。スイッチパターン４１は、一対の円弧状の第１，第２接点パターン４１ａ，４１ｂを具備し、第１接点パターン４１ａはコモンの接点パターンであって内周側に位置し、第２接点パターン４１ｂはオンオフ用の接点パターンであって外周側に位置する。第１，第２接点パターン４１ａ，４１ｂの間には、両者間を仕切るように、ケース１０を構成する合成樹脂材を円弧線状に基板４０上に突出してなるクリック用突起部４５を形成している。またこの基板４０においては、金属端子５５の本数を４本とし、これら金属端子５５にスイッチパターン４１と可変抵抗用パターン４３の出力を引き出すようにしている。またケース１０に設ける係止部１９は、ケース１０上面の４つの角部近傍に４つ設けられている。一方スイッチ付回転式電子部品１のケース１０に設けていた係合部２３を設けず、その代りに係止部２５を回転式電子部品用収納部１３近傍の左右両外側面の４か所の他に、押圧式電子部品収納部１１側の一側面の左右２か所に設けている。
【００４７】
スイッチ接点板３００は、弾性金属板を略楕円形のリング状に形成し、対向する２か所に取付部３０１を設けるとともに、両取付部３０１からＵ字状に延びる一対のアーム部３０３の中間位置に一対の接点部３０５を設けて構成されている。各取付部３０１には取付孔３０７が設けられている。各取付部３０１から接点部３０５に向かうアーム部３０３は、押圧つまみ１６１の押圧方向（真下方向、基板４０に向かう方向）に対して斜めに傾斜しながら広がる方向に向けて伸びている。ここで斜めに傾斜している部分を傾斜部３０３ａという。
【００４８】
接点板取付部材３３０は合成樹脂を略矩形平板状に成形して構成されており、上面には円形で凹状の押圧部挿入部３３１を設け、下面には前記スイッチ接点板３００の一対の取付孔３０７に挿入される小突起状の取付部３３５（図９，図１３参照）を設けている。この接点板取付部材３３０の前後の側辺３３９，３４１は円弧状に湾曲しており、この接点板取付部材３３０が前記ケース１０の押圧式電子部品収納部１１に収納された際に、これら両側辺３３９，３４１は押圧式電子部品収納部１１の円弧状に形成されている両側壁面上を摺接し、これによって接点板取付部材３３０が円弧状にスムーズにスライド移動できるように構成されている。
【００４９】
カバー１３０においては、その押圧式電子部品形成面１３７に形成する押圧部挿入孔１３３の形状を円弧状に形成している。つまり押圧つまみ体１６０の押圧部１７１が回動する移動軌跡と一致させることで、回動する押圧部１７１が常に押圧部挿入孔１３３内で移動できる形状としている。そして前記押圧スイッチ付回転式電子部品１のカバー１３０に設けた段差部１３９と貫通孔１４１とクリック弾発部１４３と４つの取付係止片１５３とを省略し、回転式電子部品形成面１３５と押圧式電子部品形成面１３７とを同一面とし、カバー１３０の押圧式電子部品形成面１３７側の外周辺に下方向に折れ曲がる側壁部１５５を設け、側壁部１５５の左右両端部（前記ケース１０の係止部２５に対向する位置）に係止片１５１を設けている。またケース１０の４つの係止部１９に対向する位置にこれらを挿入する位置決め孔１４９を設けている。
【００５０】
押圧つまみ体１６０において前記押圧スイッチ付回転式電子部品１の押圧つまみ体１６０と相違する点は、押圧部１７１の長さを少し長くした点と、クリック部１７７を形成していない点とである。
【００５１】
次に押圧スイッチ付回転式電子部品１−２の組み立て方法を説明する。まず予め、押圧スイッチ付回転式電子部品１の場合と同様にして、回転体８０の下面に摺動子１００を取り付け、回転つまみ１８０の下面に押圧つまみ体１６０を取り付ける。また接点板取付部材３３０の下面にスイッチ接点板３００を配置して接点板取付部材３３０の下面に設けた一対の取付部３３５をスイッチ接点板３００の一対の取付孔３０７に挿入し、その先端を熱かしめし、これによって接点板取付部材３３０の下面にスイッチ接点板３００を取り付ける。
【００５２】
そして、ケース１０の押圧式電子部品収納部１１内に、スイッチ接点板３００を取り付けた接点板取付部材３３０を収納し、一方ケース１０の回転式電子部品収納部１３内に摺動子１００を取り付けた回転体８０の本体部８１を収納し、さらに本体部８１の弾発部材収納部８９内に弾発バネ１２０を収納してその両弾接片１２３を回転体８０の両弾接片弾接部９３とケース１０の両弾接片係止部１７とに同時に弾接させる。
【００５３】
次にケース１０の上にカバー１３０を被せ、その際回転体８０のつまみ取付兼軸支部８３をカバー１３０の軸支孔１３１から突出し、同時に回転体８０のストッパー部９５をカバー１３０のストッパー部挿入部１４７から突出し、またケース１０の各係止部１９をカバー１３０の各位置決め孔１４９に挿入する。そしてカバー１３０の各係止片１５１をケース１０の各係止部２５の下側に係止すれば（さらに各係止部１９を熱かしめしても良い。）、ケース１０とカバー１３０間が固定される。そしてカバー１３０の上に前記押圧つまみ体１６０を取り付けた回転つまみ１８０を載せ、その際、回転つまみ１８０の回転体取付部１８６に回転体８０のつまみ取付兼軸支部８３を圧入して両者を一体に取り付け、同時に回転体８０のストッパー部９５を回転つまみ１８０のストッパー係止部１８７の凹状部分に係合し、さらに同時に押圧つまみ体１６０の押圧部１７１をカバー１３０の押圧部挿入孔１３３を介して接点板取付部材３３０の押圧部挿入部３３１に挿入する。これによって押圧スイッチ付回転式電子部品１が完成する。
【００５４】
このとき弾発バネ１２０の一対の弾接片１２３はそれぞれケース１０の一対の弾接片係止部１７と回転体８０の一対の弾接片弾接部９３に同時に弾接し、これによって回転体８０及び回転つまみ１８０は中立位置（回転体８０が回転する全範囲の中央位置）に自動的に位置する。図１３はこのときのスイッチ接点板３００近傍部分の要部拡大概略断面図である。同図に示すようにスイッチ接点板３００の一方（回転体８０に近い側）の接点部３０５は第１接点パターン４１ａ上に当接し、他方の接点部３０５はクリック用突起部４５の第１接点パターン４１ａを設けた側の基板４０上の位置、すなわち第１，第２接点パターン４１ａ，４１ｂの何れにも当接していない基板４０の面上に当接している。
【００５５】
この押圧スイッチ付回転式電子部品１−２も、図９に一点鎖線で示すように、プリント配線基板２００上に取り付けられ、また前記図８に示すと同様に、一対の外装ケース２１０，２３０に挟まれることで外装ケース２１０，２３０に装着される。
【００５６】
以上のように構成された押圧スイッチ付回転式電子部品１−２において、押圧つまみ体１６０のつまみ１６７を押圧すると、ヒンジ部１６３が撓むことで押圧つまみ１６１が下降し、その押圧部１７１が接点板取付部材３３０及びスイッチ接点板３００を押圧してこれらを押し下げ、これによって一対のアーム部３０３のなす角度が広がってゆき、図１４に示すように両接点部３０５が基板４０上を摺動して離れる方向（水平方向）に移動し、その際第１接点パターン４１ａに当接している接点部３０５はそのまま第１接点パターン４１ａへの当接を維持し、もう一方の接点部３０５はクリック用突起部４５を乗り越える際にクリック感触を生じるとともに第２接点パターン４１ｂに当接し、これによって第１，第２接点パターン４１ａ，４１ｂ間が導通して押圧スイッチがオンする。前記つまみ１６７への押圧を解除するとヒンジ部１６３とスイッチ接点板３００の弾性復帰力によって押圧つまみ１６１，接点板取付部材３３０，スイッチ接点板３００は元の位置に押し上げられて自動復帰し、前記とは逆の動作によって図１３に示す状態に戻り、押圧スイッチはオフする。
【００５７】
一方回転つまみ１８０の回転つまみ操作部１９１の部分を回転方向に押して回転つまみ１８０を回転すると、これと一体に押圧つまみ体１６０と回転体８０及び摺動子１００が回転し、接点部１０１が基板４０の可変抵抗用パターン４３（４３ａ，４３ｂ）上を摺動し、回転式電子部品の電気的出力が変化する。回転体１８０を回転した際、押圧つまみ体１６０の押圧部１７１はカバー１３０の押圧部挿入孔１３３内を移動する。同時にスイッチ接点板３００の両接点部３０５は基板４０上を摺動するが、回転体１８０が回転するどの位置に移動しても図１３に示す状態は変化しない。従って回転体１８０がどの回転位置にあっても押圧つまみ１６１を押圧することができ、押圧スイッチをオンオフ操作することができる。前記回転つまみ１８０の回転を中止すれば、前記弾発バネ１２０の弾発力によって回転つまみ１８０及びこれと一体に回転する摺動子１００等が元の中立位置に自動復帰し、電気的出力も元の中立位置の状態に戻る。
【００５８】
以上説明したようにこの押圧スイッチ付回転式電子部品１−２においても、回転つまみ１８０を回転することで電気的出力を変化させる回転式電子部品と、回転つまみ１８０の外周に設けた回転つまみ操作部１９１に押圧スイッチ用の押圧つまみ１６１を設置するとともに、この押圧つまみ１６１によって押圧されるスイッチ接点板３００や接点板取付部材３３０やスイッチパターン４１からなる押圧スイッチを設置してなる押圧式電子部品と、を具備して構成されている。つまり回転つまみ１８０の回転つまみ操作部１９１に押圧つまみ１６１を設置し、この押圧つまみ１６１によって押圧式電子部品の押圧スイッチをオンオフ操作する構成としたので、回転つまみ操作部１９１の部分に指を置いたまま回転つまみ１８０の操作と押圧つまみ１６１の操作とを行うことができる。従って両者を操作する際に指の置き換えが生じず、両者の操作を容易に連続してスムーズに行うことができ、特に両者の操作を連続に瞬時に行いたいような場合でも十分その要求に答えられる。
【００５９】
なおこの押圧スイッチ付回転式電子部品１−２においては、回転つまみ１８０と回転体８０と摺動子１００と基板４０と基板４０上の可変抵抗用パターン４３とによって回転式電子部品が構成され、押圧つまみ１６１とスイッチ接点板３００と接点板取付部材３３０と基板４０と基板上のスイッチパターン４１とによって押圧式電子部品が構成されている。またスイッチ接点板３００と基板４０と基板上のスイッチパターン４１とによって押圧スイッチが構成されている。
【００６０】
また押圧スイッチは、押圧つまみ１６１と一体に回転するスイッチ接点板３００と、このスイッチ接点板３００に設けた接点部３０５が当接するスイッチパターン４１ａ，４１ｂを形成した基板４０とを具備して構成され、スイッチ接点板３００にアーム部３０３を設け、このアーム部３０３に設けた接点部３０５を基板４０に弾接し、押圧つまみ１６１を押圧してスイッチ接点板３００の接点部３０５を基板４０上で移動させることでスイッチパターン４１ａ，４１ｂへの当接状態を変化させて押圧スイッチをオンオフする構成としたので、回転つまみ１８０が何れの回転位置にある場合でも、押圧式電子部品の押圧スイッチのオンオフ動作を行わせることができる。
【００６１】
なお上記例では具体的に、アーム部３０３は押圧つまみ１６１の押圧方向に対して斜めに傾斜する方向に向けて伸びていて、接点部３０５はアーム部３０３の弾性力によって基板４０に弾接している。
【００６２】
また基板４０上に、押圧つまみ１６１を押圧した際に接点部３０５が乗り上げることでクリック感覚を生じるクリック用突起部４５を設けたので、部品点数を増加させることなく、簡単な構造で容易に、押圧式電子部品にクリック機能を持たせることができる。
【００６３】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば、上記各実施形態では回転式電子部品を回転式可変抵抗器で構成したが、可変抵抗用パターン４３の代りにスイッチパターンを形成することで回転式スイッチとして構成しても良い。また上記各実施形態では押圧つまみ１６１と反転板６０（またはスイッチ接点板３００）の間に押圧部材６５（または接点板取付部材３３０）を設置したが、押圧部材６５（または接点板取付部材３３０）を省略して直接押圧つまみ１６１に反転板６０を対向させ（またはスイッチ接点板３００を取り付け）ても良い。また基板４０上に形成するスイッチパターン４１ａ，４１ｂの形状・構成も種々の変更が可能である。
【００６４】
また上記スイッチ接点板３００においては両アーム部３０３を広がる方向に傾斜させたが、逆に両アーム部を狭める方向に傾斜させても良い。また上記反転板６０は可動接点板として用いているが、２枚の回路基板を重ね合わせて両者に設けたスイッチパターンを隙間を介して対向させてなるいわゆるメンブレンスイッチを用いる場合は、クリック感触を得るためのみの反転板として用いる。なおメンブレンスイッチの場合は必ずしも反転板を設置しなくても良い。
【００６５】
また上記実施形態では押圧スイッチを１段式の押圧スイッチで構成したが、２段以上の複数段の押圧スイッチで構成しても良い。２段の押圧スイッチとは、押圧した際、１つのスイッチがオン又はオフし、さらに押圧するともう１つのスイッチもオン又はオフする機能を有する構成のものである。
【符号の説明】
【００６６】
１  押圧スイッチ付回転式電子部品
１０  ケース
１１  押圧式電子部品収納部
１３  回転式電子部品収納部
４０  基板（押圧式電子部品、押圧スイッチ、回転式電子部品）
４１（４１ａ，４１ｂ）  スイッチパターン（押圧式電子部品、押圧スイッチ）
４３（４３ａ，４３ｂ）  可変抵抗用パターン（回転式電子部品）
６０  反転板（押圧式電子部品、押圧スイッチ）
６５  押圧部材（押圧式電子部品）
８０  回転体（回転式電子部品）
１００  摺動子（回転式電子部品）
１２０  弾発バネ
１３０  カバー
１４３  クリック弾発部
１６０  押圧つまみ体
１６１  押圧つまみ（押圧式電子部品）
１６３  ヒンジ部
１６５  取付部
１７１  押圧部
１８０  回転つまみ（回転式電子部品）
１９１  回転つまみ操作部
１−２  押圧スイッチ付回転式電子部品
４５  クリック用突起部
３００  スイッチ接点板（押圧式電子部品、押圧スイッチ）
３０３  アーム部
３０５  接点部
３３０  接点板取付部材（押圧式電子部品）
【図１】
2011134682.tif 000003
【図２】
2011134682.tif 000004
【図３】
2011134682.tif 000005
【図４】
2011134682.tif 000006
【図５】
2011134682.tif 000007
【図６】
2011134682.tif 000008
【図７】
2011134682.tif 000009
【図８】
2011134682.tif 000010
【図９】
2011134682.tif 000011
【図１０】
2011134682.tif 000012
【図１１】
2011134682.tif 000013
【図１２】
2011134682.tif 000014
【図１３】
2011134682.tif 000015
【図１４】
2011134682.tif 000016